(57)【要約】【課題】  フェース面をパッティングラインに対して直角に合わせることが容易であるとともに、ボール打撃時の安定性に優れたパターヘッドを提供する。【解決手段】  上方から見たときにフェース面と平行な線３０および垂直な線３２が見えるフェース部１２の後端に、上方から見たときに下方が透けて見える光透過性材料からなる透明部１４を固定する。さらに、透明部の後端にバック部１６を固定する。【選択図】      図１
2006026301.tif 000002
【特許請求の範囲】
【請求項１】
上方から見たときにフェース面と平行な線が少なくとも１つ見えるフェース部と、上方から見たときに下方が透けて見える透明部とを具備し、フェース部の後方に透明部を配置してあるとともに、透明部の側方に非透明な部分は存在しないことを特徴とするパターヘッド。
【請求項２】
透明部の後方にバック部を配置してあることを特徴とする請求項１に記載のパターヘッド。
【請求項３】
フェース部が、上方から見たときにフェース面と垂直な線が少なくとも１つ見えるものであることを特徴とする請求項１または２に記載のパターヘッド。
【請求項４】
フェース部のフェース面の長さＬとヘッド全体の幅ＤＴとが下記式の関係にあることを特徴とする請求項１〜３のいずれか１項に記載のパターヘッド。
Ｌ≧ＤＴ≧０．５×Ｌ  …（１）
【請求項５】
フェース部の幅Ｄ１、透明部の幅Ｄ２およびバック部の幅Ｄ３が下記式の関係にあることを特徴とする請求項１〜４のいずれか１項に記載のパターヘッド。
Ｄ２＞Ｄ１  …（２）
Ｄ２＞Ｄ３  …（３）
［ただし、（３）式はバック部が存在する場合のみ適用される。］
【請求項６】
フェース部の材料の比重ρ１、透明部の材料の比重ρ２およびバック部の材料の比重ρ３が下記式の関係にあることを特徴とする請求項１〜５のいずれか１項に記載のパターヘッド。
ρ１＞ρ２  …（４）
ρ３≧ρ１  …（５）
［ただし、（５）式はバック部が存在する場合のみ適用される。］
【請求項７】
透明部を形成する光透過性材料の光透過率が７０％以上であることを特徴とする請求項１〜６のいずれか１項に記載のパターヘッド。
【発明の詳細な説明】
【技術分野】
【０００１】
本発明は、ゴルフ用のパターヘッドに関し、さらに詳述すると、ラインへのセッティングが容易であるとともに、ボール打撃時の安定性に優れたパターヘッドに関する。
【背景技術】
【０００２】
ゴルフのパッティングにおいて重要なことは、パターのフェース面をパッティングラインに対して直角に合わせることである（以下、この動作を「ラインへのセッティング」ということもある）。ラインへのセッティングは、視覚に基づいて行うのが通常であるが、パターヘッドの形状によってフェース面をラインに直角に合わせやすいものとそうでないものとがある。具体的には、フェース面と平行な線や垂直な線が明りょうに現れているパターヘッドほどラインへのセッティングが容易である。このようなパターヘッドの代表的なものとして、いわゆるＬ字型やＴ字型のパターヘッドがある（例えば、特許文献１参照）。
【０００３】
また、ゴルフ用のパターにおいては、ボール打撃時の安定性が重要視されている。ボール打撃時の安定性を向上させるためには、一般に、ヘッドのソール幅を広くし、ヘッドの重心深度を深くしてスイートエリアを拡大させるとともに、ヘッドの慣性モーメントを高めることが行われる。このような手段でボール打撃時の安定性を向上させたパターヘッドの代表的なものとして、いわゆるマレット型のパターヘッドがある（例えば、特許文献２参照）。
【０００４】
さらに、最近では、上述したＬ字型、Ｔ字型、マレット型といった範ちゅうに当てはまらない異形タイプのパターヘッドが使用されている。その代表的なものとして、いわゆるツーボール型のパターヘッドがある（例えば、特許文献３参照）。
【０００５】
【特許文献１】特開２００１−９０７２号公報
【特許文献２】特開平９−３８２４７号公報
【特許文献３】特開２００３−３３９９２６号公報
【発明の開示】
【発明が解決しようとする課題】
【０００６】
しかし、特許文献１に示されたようなＬ字型やＴ字型のパターヘッドは、スイートエリアが小さく、慣性モーメントも小さいため、ボール打撃時の安定性に劣り、初級者、中級者には使用するのが難しいとされるものであった。また、特許文献２に示されたようなマレット型のパターヘッドは、サイドとバックの形状が円弧に近い場合が多く、フェース面と平行な線や垂直な線が明りょうに現れていないため、ラインへのセッティングが難しいものであった。さらに、特許文献３に示されたような異形タイプのパターヘッドは、形状が特異であるため、外見で受け入れられないゴルファーが多く、また、マレット型のパターヘッドと同様にフェース面と平行な線や垂直な線が明りょうに現れていないものであった。さらに、従来、ラインへのセッティングの容易性と、ボール打撃時の安定性とを両立させたパターヘッドはほとんど提案されていなかった。
【０００７】
本発明は、前述した事情に鑑みてなされたもので、ラインへのセッティングが容易であるとともに、ボール打撃時の安定性に優れたパターヘッドを提供することを目的とする。
【課題を解決するための手段】
【０００８】
本発明は、上記目的を達成するため、上方から見たときにフェース面と平行な線が少なくとも１つ見えるフェース部と、上方から見たときに下方が透けて見える透明部とを具備し、フェース部の後方に透明部を配置してあるとともに、透明部の側方に非透明な部分は存在しないことを特徴とするパターヘッドを提供する。
【０００９】
本発明のパターヘッドは、上方から見たときにフェース面と平行な線が少なくとも１つ見えるフェース部の後方に、上方から見たときに下方が透けて見える透明部を配置してあるので、パッティング時にゴルファーには透明部からグリーン面が透けて見え、その結果フェース部のみが強調されて見える。したがって、フェース部においてＬ字型やＴ字型のパターヘッドのようにフェース面と平行な線が明りょうに現れ、そのためフェース面をパッティングラインに対して直角に合わせることが容易になる。また、フェース部の後方に透明部を配置してあるので、この透明部の重量によってヘッドの重心深度が深くなるとともに、慣性モーメントが大きくなり、ボール打撃時の安定性が向上する。
【００１０】
本発明のパターヘッドは、透明部の後方にさらにバック部を配置することが好ましい。これによって、重心深度をさらに深くするとともに、慣性モーメントをさらに大きくして、ボール打撃時の安定性をより向上させることができる。
【００１１】
また、本発明のパターヘッドのフェース部は、上方から見たときにフェース面と垂直な線が少なくとも１つ見えることが好ましい。これにより、フェース面をパッティングラインに対して直角に合わせることがいっそう容易になる。
【００１２】
さらに、本発明のパターヘッドは、ラインへのセッティングの容易性およびボール打撃時の安定性の点で、各部の寸法や比重が下記（ａ）〜（ｃ）の関係にあることが適当である。
（ａ）フェース部のフェース面の長さＬとヘッド全体の幅ＤＴとが下記式（１）の関係にある。
Ｌ≧ＤＴ≧０．５×Ｌ  …（１）
（ｂ）フェース部の幅Ｄ１、透明部の幅Ｄ２およびバック部の幅Ｄ３が下記式（２）、（３）の関係にある。
Ｄ２＞Ｄ１  …（２）
Ｄ２＞Ｄ３  …（３）
［ただし、（３）式はバック部が存在する場合のみ適用される。］
（ｃ）フェース部の材料の比重ρ１、透明部の材料の比重ρ２およびバック部の材料の比重ρ３が下記式（４）、（５）の関係にある。
ρ１＞ρ２  …（４）
ρ３≧ρ１  …（５）
［ただし、（５）式はバック部が存在する場合のみ適用される。］
【００１３】
具体的には、本発明では、フェース部のフェース面の長さＬは９０〜１５０ｍｍ、さらに好ましくは１００〜１２０ｍｍが良い。ヘッド全体の幅ＤＴは７０〜１４０ｍｍ、さらに好ましくは８０〜１１０ｍｍが良い。フェース部の幅Ｄ１は１０〜４０ｍｍ、さらに好ましくは１５〜３０ｍｍが良い。透明部の幅Ｄ２は２０〜１２５ｍｍ、さらに好ましくは３３〜８７ｍｍが良い。バック部の幅Ｄ３は５〜２０ｍｍ、さらに好ましくは８〜１７ｍｍが良い。フェース部の材料の比重ρ１は１．５〜９．０ｇ／ｃｍ３、さらに好ましくは１．７〜８．０ｇ／ｃｍ３が良い。透明部の材料の比重ρ２は０．５〜４．０ｇ／ｃｍ３、さらに好ましくは１．０〜２．６ｇ／ｃｍ３が良い。バック部の材料の比重ρ３は２．５〜１９．３ｇ／ｃｍ３、さらに好ましくは７．８〜１８．５ｇ／ｃｍ３が良い。
【００１４】
本発明のパターヘッドにおいて、透明部を形成する光透過性材料の光透過率は７０％以上、特に８５％以上であることが好ましい。これにより、透明部からグリーン面が良く透けて見え、フェース部を利用したラインへのセッティングがきわめて容易になる。
【００１５】
また、本発明のパターヘッドは、重心深度（フェース面から重心までの距離）を２０ｍｍ以上、特に２５ｍｍ以上とすることが適当である。これにより、スイートエリアを確実に拡大してボール打撃時の安定性を高めることができる。
【００１６】
本発明において、フェース部の材料としては、例えば鉄、ステンレス鋼、チタン、アルミニウム、マグネシウムやそれらの合金等を用いることができる。透明部の材料としては、例えばポリカーボネート樹脂、アクリル（メタクリル）樹脂、ＡＢＳ樹脂、スチレン系樹脂、ブタジエン−スチレン系樹脂、ブタジエン−スチレン共重合体、メタクリル−スチレン共重合体等の透明樹脂や、ガラス等を用いることができる。透明部の材料として特に好ましいのは、光透過性が高く、耐衝撃性、耐候性が良いポリカーボネート樹脂である。バック部の材料としては、例えば鉄、ステンレス鋼、タングステン、銅、アルミニウムやそれらの合金等を用いることができる。
【発明の効果】
【００１７】
本発明のパターヘッドは、ラインへのセッティング、すなわちフェース面をパッティングラインに対して直角に合わせることが容易であるとともに、ボール打撃時の安定性に優れている。
【発明を実施するための最良の形態】
【００１８】
以下、本発明の実施の形態を図面を参照して説明するが、本発明は下記例に限定されるものではない。図１は本発明に係るパターヘッドの一実施形態を示す平面図、図２は同パターヘッドの側面図である。
【００１９】
本例のパターヘッド１０において、１２は平面形状がほぼ長方形である軟鉄製のフェース部、１４はフェース部１２の後端に接着により固定されたポリカーボネート系透明樹脂製の透明部、１６は透明部１４の後端に接着により固定されたタングステン合金製のバック部を示す。フェース部１２は、上方から見たときにフェース面と平行な線および垂直な線が見えるものである。また、図中１８はフェース部１２の上面に形成されたホゼル穴を示す。本例のパターヘッド１０は、平面形状がほぼ半円形のものである。また、フェース部１２の高さは透明部１４およびバック部１６の高さより高く、透明部１４およびバック部１６の高さは等しくなっている。
【００２０】
本例のパターヘッド１０において、各部の寸法や比重は前記（ａ）〜（ｃ）の関係にある。具体的には、本例では、フェース部１２のフェース面の長さＬは１１０ｍｍ、ヘッド全体の幅ＤＴは９０ｍｍ、フェース部１２の幅Ｄ１は２５ｍｍ、透明部１４の幅Ｄ２は５５ｍｍ、バック部１６の幅Ｄ３は１０ｍｍ、フェース部１２の材料の比重ρ１は２．７ｇ／ｃｍ３、透明部１４の材料の比重ρ２は１．２ｇ／ｃｍ３、バック部１６の材料の比重ρ３は１８．０ｇ／ｃｍ３、重心深度Ｋ（図２に示すフェース面から重心Ｇまでの距離）は３３ｍｍである。
【００２１】
本例のパターヘッド１０では、フェース部１２の上面の光反射率をバック部１６の上面の光反射率より高くしてある。これにより、フェース部１２がバック部１６より目立つようにし、ラインへのセッティングが容易になるようにしてある。この場合、フェース部１２とバック部１６の上面の光反射率を変える方法としては、例えば両部分の仕上げ研磨方法を変える方法などを用いることができる。
【００２２】
本例のパターヘッド１０は、透明部１４の存在によってパッティング時にフェース部１２においてフェース面と平行な線３０および垂直な線３２が明りょうに現れ、ラインへのセッティングが容易なものであった。この場合、透明部１４の外輪郭（側縁）はほとんど目立たなかった。また、透明部１４とバック部１６の存在によって重心深度Ｋが深くなるとともに、慣性モーメントが大きくなり、ボール打撃時の安定性に優れたものであった。
【００２３】
上述したパターヘッドは、例えば下記のような変更が可能である。
（１）図３に示すパターヘッドのように、ポリカーボネート系透明樹脂等の光透過性材料からなる支持板２２をヘッドの底部に固定する。
（２）図４に示すパターヘッドのように、フェース部１２上部のトップブレード（図１において符号４２で示す）をなくしたり、透明部１４の上面を凹面４４（あるいは凸面）にしたりする。
（３）図５に示すパターヘッドのように、フェース部１２およびバック部１６にそれぞれ凹部４８を設けるとともに、透明部１４に凹部４８に嵌合する凸部５０を形成し、凸部５０を凹部４８に嵌合するとともに、フェース部１２、透明部１４およびバック部１６を接着により固定する。
（４）図６に示すパターヘッドのように、金型内にフェース部１２およびバック部１６をセットした後、それらの間に液体状の樹脂を注入し、この樹脂をフェース部１２およびバック部１６に設けた溝部５４に流入させた後、樹脂を硬化させることにより、フェース部１２、透明部１４およびバック部１６を固定する。また、透明樹脂からなる透明部の作製方法としては、ブロック（塊）状材料を機械加工等により所望の形状とする方法も考えられる。
（５）図７に示すパターヘッドのように、フェース部１２の平面形状を長方形以外の形状とする。この場合、フェース部１２は、上方から見たときにフェース面と平行な線が少なくとも１つ見えればよい。
（６）図８に示すパターヘッドのように、ポリカーボネート系透明樹脂等の光透過性材料からなる支持板２２の前側上にフェース部１２を固定し、支持板２２のフェース部１２が固定されていない部分を透明部１４とする。
（７）図９に示すパターヘッドのように、ポリカーボネート系透明樹脂等の光透過性材料からなる支持板２２の前側上にフェース部１２を固定するとともに、後側上にバック部１６を固定し、支持板２２のフェース部１２およびバック部１６が固定されていない部分を透明部１４とする。
（８）フェース部のフェース面に、フェース部の材料とは異なる低硬度のインサート部材を装着する。
（９）透明部にそれより高比重のウェイト材を装着する。また、バック部にそれより高比重のウェイト材を装着する。
（１０）透明部やバック部をグリーン面の色に類似した黄色、緑色、黄緑色などに着色し、フェース部がより強調されて見えるようにする。
（１１）ホゼル穴に代えてシャフト取付用ネック部を設ける。ホゼル穴やネック部の位置は、できるだけヘッドのヒール側端部に近いことが、ラインへのセッティングを容易にする点で好ましい。具体的には、図１に示すように、ヘッド１０のヒール側端部とホゼル穴１８やネック部との間の距離Ｈを０〜２５ｍｍ、特に０〜１５ｍｍとすることが適当である。ただし、ホゼル穴の場合は上記距離Ｈが０ｍｍであることはない。
【図面の簡単な説明】
【００２４】
【図１】本発明に係るパターヘッドの一実施形態を示す平面図である。
【図２】図１のパターヘッドの側面図である。
【図３】本発明に係るパターヘッドの他の実施形態を示す側面図である。
【図４】本発明に係るパターヘッドの他の実施形態を示す側面図である。
【図５】本発明に係るパターヘッドの他の実施形態を示す側面図である。
【図６】本発明に係るパターヘッドの他の実施形態を示す側面図である。
【図７】本発明に係るパターヘッドの他の実施形態を示す平面図である。
【図８】本発明に係るパターヘッドの他の実施形態を示す側面図である。
【図９】本発明に係るパターヘッドの他の実施形態を示す側面図である。
【符号の説明】
【００２５】
１０  パターヘッド
１２  フェース部
１４  透明部
１６  バック部
３０  フェース面と平行な線
３２  フェース面と垂直な線
【図１】
2006026301.tif 000003
【図２】
2006026301.tif 000004
【図３】
2006026301.tif 000005
【図４】
2006026301.tif 000006
【図５】
2006026301.tif 000007
【図６】
2006026301.tif 000008
【図７】
2006026301.tif 000009
【図８】
2006026301.tif 000010
【図９】
2006026301.tif 000011